(57)【要約】      （修正有）【課題】木の実装飾体の木の実部分が簡単に脱落しない構成のケーキ用飾りを提供する。【解決手段】ケーキ用飾りは、ヒイラギの葉等を模した木の葉装飾体２０と、玉状に形成された木の実装飾体１０とを有するものであって、木の実装飾体１０は、針金からなる軸部分１２と、この軸部分１２の先端側にインサート成形により一体化された樹脂成形品からなる木の実部分１１とで構成されたものである。木の実部分１１は、木の実部分１１は、顔料で着色されたポリエチレンからなり、南天の実１１Ａ、やしゃの実１１Ｂ等の玉状の木の実を模擬したものである。【選択図】図２
0003161110.tif 000002
【実用新案登録請求の範囲】
【請求項１】
ヒイラギの葉等を模した木の葉装飾体と、玉状に形成された木の実装飾体とを有するケーキ用飾りであって、
木の実装飾体は、針金からなる軸部分と、この軸部分の先端側にインサート成形により一体化された樹脂成形品からなる木の実部分とで構成されたケーキ用飾り。
【請求項２】
請求項１に記載のケーキ用飾りにおいて、
ケーキに挿し込むピン部の上端に、外周にフランジを設けたカップ部を形成したピックを有し、
このピックのカップ部内に、木の実装飾体の軸部分が、木の葉装飾体の基端の軸部やリボン及び／又はベル模型を取付けた他の装飾体の軸部とともに接着固定されているケーキ用飾り。
【請求項３】
請求項１又は２に記載のケーキ用飾りにおいて、
木の実装飾体における軸部分の木の実部分へのインサート長さは、木の実部分から軸部分の先端が突き出ない範囲で木の実部分の最大半径以上であるケーキ用飾り。
【請求項４】
請求項１〜３のいずれか１項に記載のケーキ用飾りにおいて、
木の実部分は、顔料で着色されたポリエチレンからなる樹脂成形品であるケーキ用飾り。
【請求項５】
請求項１〜４のいずれか１項に記載のケーキ用飾りにおいて、
木の実部分は、南天の実、やしゃの実等の玉状の木の実を模擬した樹脂成形品であるケーキ用飾り。
【考案の詳細な説明】
【技術分野】
【０００１】
本考案は、クリスマスケーキなどの飾り付けに用いられるケーキ用飾りに関する。
【背景技術】
【０００２】
図５に示すように、この種のケーキ用飾り５００として、ヒイラギの葉等を模した木の葉装飾体５２０と、南天の実ややしゃの実などを模した木の実装飾体５１０とを束ねたものがある。木の葉装飾体５２０は、ヒイラギの葉部分５２１と基端の軸部５２２の形に裁断された布から形成されている。木の実装飾体５１０は、表面に赤色等の着色顔料を塗布した発泡スチロールで形成された木の実部分５１１と、この木の実部分５１１に突き刺した針金からなる軸部分５１２とから構成されている。この木の実装飾体５１０は、木の実部分５１１に針金からなる軸部分５１２を突き刺した後、全体表面ににかわが塗布される。そして、このケーキ用飾り５００は、木の葉装飾体５２０の基端の軸部５２２と、木の実装飾体５１０の軸部分５１２とがアルミホイル５４０で束ねられており、このアルミホイル５４０部分をクリスマスケーキに挿して突き立てることによりケーキを豪華に飾り付けるために用いられる。
【先行技術文献】
【特許文献】
【０００３】
【特許文献１】実開平４−９７９９号公報
【考案の概要】
【考案が解決しようとする課題】
【０００４】
ところで、従来のケーキ用飾り５００における木の実装飾体５１０は、発泡スチロールからなる木の実部分５１１が針金（軸部分５１２）で突き刺した構成であるから、木の実部分５１１がヒイラギの葉を模した木の葉装飾体５２０と接触したり木の実部分５１１を摘んで扱う等されると、木の実部分５１１が簡単に脱落してしまう。この場合、木の実部分５１１が衛生的に作製されていても、ケーキの上に木の実部分５１１が落下しているのを消費者が見ると、食品衛生上の観点から好ましく思われなかった。また、木の実部分５１１は、赤色等に着色されているため、消費者がケーキの上に落下した木の実部分５１１をケーキの一部と錯覚してこれを誤飲してしまうおそれもあり得る。さらには、ケーキに飾り付ける前に、木の実装飾体５１０の木の実部分５１１が脱落してしまうと、ケーキ用飾り５００としての商品価値を逸失することとなる。
【０００５】
本考案は、上記事情に鑑みてなされたものであり、木の実装飾体の木の実部分が簡単に脱落しない構成のケーキ用飾りを提供することを課題とする。
【課題を解決するための手段】
【０００６】
本考案に係るケーキ用飾りは、
ヒイラギの葉等を模した木の葉装飾体と、玉状に形成された木の実装飾体とを有するケーキ用飾りであって、
木の実装飾体は、針金からなる軸部分と、この軸部分の先端側にインサート成形により一体化された樹脂成形品からなる木の実部分とで構成されたものである。
上記構成より、木の実部分が軸部分となる針金とインサート成形により一体化された樹脂成形品からなるので、木の実部分は軸部分に強固に固定される。従って、木の実部分が軸部分から簡単に脱落することはない。
【０００７】
上記ケーキ用飾りにおいて、
ケーキに挿し込むピン部の上端に、外周にフランジを設けたカップ部を形成したピックを有し、
このピックのカップ部内に、木の実装飾体の軸部分が、木の葉装飾体の基端の軸部やリボン及び／又はベル模型を取付けた他の装飾体の軸部とともに接着固定されているのが望ましい。
これによれば、木の実装飾体の木の実部分が軸部分に強固に固定されているので、木の実部分が木の葉装飾体や他の装飾体と接触しても簡単に脱落することがない。従って、木の葉装飾体や他の装飾体とともに木の実装飾体を設けても、木の実部分がケーキへの飾り付けの前後で簡単に脱落することがない。また、カップ部に設けたフランジによりケーキへの挿し込みが規制されるので、カップ部の上部に配置された各装飾体によりケーキを綺麗に飾り付けることができる。
【０００８】
上記ケーキ用飾りにおいて、
木の実装飾体における軸部分の木の実部分へのインサート長さは、木の実部分から軸部分の先端が突き出ない範囲で木の実部分の最大半径以上であるのが望ましい。
これによれば、木の実装飾体の木の実部分が軸部分に一層確実に強固に固定され、木の実部分の脱落をより確実に防止することができる。また、木の実部分にインサートされた軸部分となる針金の先端が木の実部分から突き出ることがないので、木の実装飾体の外観の見栄えも損なうことがない。
【０００９】
上記ケーキ用飾りにおいて、
木の実部分は、顔料で着色されたポリエチレンからなる樹脂成形品であるのが望ましい。
従来の木の実部分のように顔料を表面に塗布したものであれば、顔料が木の葉装飾体やケーキ等に色移りして見栄えを損ね、ケーキ用飾りやケーキの商品価値を低下させるおそれもあった。
これに対して、上記構成のように、木の実部分を顔料で着色されたポリエチレンからなる樹脂成形品とすることにより、木の実部分の色が木の葉装飾体やケーキ等に色移りすることがない。従って、ケーキ用飾りやケーキの商品価値を確保することができる。
【００１０】
上記ケーキ用飾りにおいて、
木の実部分は、南天の実、やしゃの実等の玉状の木の実を模擬した樹脂成形品とすることができる。
【考案の効果】
【００１１】
以上のように、本考案に係るケーキ用飾りによれば、ケーキに飾り付ける前後においても木の実装飾体の木の実部分が軸部分に保持された状態を保つことができ、木の実部分が簡単に脱落することがない。従って、木の実部分がケーキの上に落下して消費者に不衛生に思われることもなく食品衛生性を確保することができ、また、ケーキの上に落下した木の実部分を消費者にケーキの一部と錯覚させることもない。さらには、木の実装飾体の木の実部分が脱落することなくケーキ用飾りとしての商品価値を確実に確保することができる。
【図面の簡単な説明】
【００１２】
【図１】実施形態によるケーキ用飾りを示す正面図である。
【図２】実施形態によるケーキ用飾りの各部品を示す分解図である。
【図３】実施形態によるケーキ用飾りにおける木の実装飾体の構成を示す断面図である。
【図４】実施形態によるケーキ用飾りをケーキに突き立てた使用状態を示す斜視図である。
【図５】従来のケーキ用飾りを示す正面図である。
【考案を実施するための形態】
【００１３】
以下に、本考案の実施形態について添付図面を参照しながら説明する。
図１、図２に示すように、このケーキ用飾り１は、ヒイラギの葉を模した木の葉装飾体２０と、玉状に形成された木の実装飾体１０と、リボン３１及びベル模型３３を取付けた他の装飾体３０とをまとめて棒状のピック４０に固定したものである。
【００１４】
図３に示すように、木の実装飾体１０は、針金からなる軸部分１２と、この軸部分１２の先端側にインサート成形により一体化された樹脂成形品からなる木の実部分１１とで構成されている。木の実部分１１は、顔料で着色されたポリエチレン樹脂からなり、赤色に着色された南天の実１１Ａと、茶色に着色されたやしゃの実１１Ｂとを模したものである。木の実装飾体１０における軸部分１２の木の実部分１１へのインサート長さは、木の実部分１１から軸部分１２の先端が突き出ない範囲で木の実部分１１の最大半径以上とされている。
【００１５】
再び図２を参照して、木の葉装飾体２０は、ヒイラギの葉を模した葉部分２１と、この葉部分２１の基端部から延ばした軸部２２とで構成されている。木の葉装飾体２０は、正面側が起毛され且つ光沢のある緑色のビロード等の布製シートからなる。そして、木の葉装飾体２０は、上記布製シートを、ヒイラギの葉を模った２枚の葉部分２１を基端部で連結して略Ｖ状に形成するとともに、基端部から下方へ延ばした軸部２２を形成するように裁断されたものである。
【００１６】
他の装飾体３０は、布製のリボン３１と、プラスチック製のベル模型３３と、これらリボン３１及びベル模型３３を保持した細い針金からなる軸部３２とで構成されている。
他の装飾体３０は、針金をベル模型３３上部の取付孔３３ａに通して針金を並行に折り曲げて、この折り曲げ部分にベル模型３３を配置させるとともに、折り曲げた針金間にリボン３１の中央を配置させ、そして、この並行に折り曲げた針金同士を捻り合わせて形成されたものである。すると、軸部３２の上部においてベル模型３３とベル模型３３の下にリボン３１とが配置された他の装飾体３０が構成される。リボン３１は、赤色や白色の帯状の布を折り畳んで蝶結び状に見せたものである。ベル模型３３は、金色や銀色に着色したプラスチックからなる。この他の装飾体３０の軸部３２に用いる針金は、ベル模型３３の色と同じ色にコーティングされるとともに、木の実装飾体１０の軸部分１２で用いる針金よりも細いタイプとし、その存在が目立たないようにしている。
【００１７】
ピック４０は、ケーキ５に挿し込む棒状のピン部４２と、このピン部４２の上端に連続形成され外周にフランジ４３を設けたカップ部４１とで構成されている。ピック４０は、白色に着色されたポリエチレン樹脂等の樹脂成形品からなる。このピック４０のカップ部４１内の凹穴４１ａに、木の葉装飾体２０の基端の軸部２２と、木の実装飾体１０の軸部分１２と、リボン３１及びベル模型３３を取付けた他の装飾体３０の軸部３２とを束ねて挿入し接着剤で接着固定される。このとき、一番後ろにヒイラギの葉を模した木の葉装飾体２０が配置され、この木の葉装飾体２０の前に南天の実を模した木の実装飾体１０とやしゃの実を模した木の実装飾体１０とが配置され、これら木の実装飾体１０の前となる一番前にリボン３１及びベル模型３３を取付けた他の装飾体３０が配置されて（図１参照）、本ケーキ用飾り１が構成される。
【００１８】
そして、図４に示すように、このケーキ用飾り１は、ピック４０のピン部４２をケーキ５の上面５０に挿し込むと、カップ部４１に設けたフランジ４３によりケーキ５への挿し込みが規制され、カップ部４１の上部に配置された各装飾体１０，２０，３０がちょうどケーキ５上に配置されるように突き立てられて、これら各装飾体１０，２０，３０によりケーキ５が綺麗に飾り付けられる。
【００１９】
以上の構成のケーキ用飾り１によれば、木の実装飾体１０における木の実部分１１が軸部分１２となる針金とインサート成形により一体化された樹脂成形品からなるので、木の実部分１１は軸部分１２から簡単に脱落することなく軸部分１２に強固に固定されている。特に木の実装飾体１０における軸部分１２の木の実部分１１へのインサート長さは、木の実部分１１から軸部分１２の先端が突き出ない範囲で木の実部分１１の最大半径以上とすることにより、木の実装飾体１０の木の実部分１１が軸部分１２に一層確実に強固に固定され、木の実部分１１の脱落がより確実に防止される。また、木の実部分１１にインサートされた軸部分１２となる針金の先端が木の実部分１１から突き出ることがないので、木の実装飾体１０の外観の見栄えを損なうこともない。それゆえに、木の葉装飾体２０や他の装飾体３０とともに木の実装飾体１０を設けても、木の実部分１１が木の葉装飾体２０や他の装飾体３０と接触したり、また木の実部分１１を摘んで扱う等しても木の実部分１１が簡単に脱落することがなく、ケーキ５への飾り付けの前後で木の実部分１１が脱落したものとなることはない。
【００２０】
従って、このケーキ用飾り１によれば、ケーキ５に飾り付ける前後においても木の実装飾体１０の木の実部分１１が軸部分１２に保持された状態を保つことができ、木の実部分１１がケーキ５の上に落下して消費者に不衛生に思われることもなく食品衛生性を確保することができ、また、ケーキ５の上に落下した木の実部分１１を消費者にケーキ５の一部と錯覚させることもない。さらには、木の実装飾体１０の木の実部分１１が脱落することなくケーキ用飾り１としての商品価値を確実に確保することができる。また、木の実装飾体１０は、木の実部分１１と軸部分１２とがインサート成形により容易に製造できるので、従来のように木の実部分に針金を突き刺して形成する場合よりも効率よく得ることができる。
【００２１】
また、従来の木の実部分１１のように顔料を表面に塗布したものであれば、顔料が木の葉装飾体２０やケーキ５等に色移りして見栄えを損ね、ケーキ用飾り１やケーキ５の商品価値を低下させるおそれもあった。これに対して、上記構成のように、木の実部分１１を顔料で着色されたポリエチレンからなる樹脂成形品とすることにより、木の実部分１１の色が木の葉装飾体２０やケーキ５等に色移りすることがないから、ケーキ用飾り１やケーキ５の商品価値を確保することができる。
【符号の説明】
【００２２】
１  ケーキ用飾り
５  ケーキ
１０  木の実装飾体
１１  木の実部分
１２  軸部分
２０  木の葉装飾体
２１  葉部分
２２  軸部
３０  他の装飾体
３１  リボン
３２  軸部
３３  ベル模型
３３ａ  取付孔
４０  ピック
４１  カップ部
４２  ピン部
４３  フランジ
４１ａ  凹穴
５０  上面
【図１】
0003161110.tif 000003
【図２】
0003161110.tif 000004
【図３】
0003161110.tif 000005
【図４】
0003161110.tif 000006
【図５】
0003161110.tif 000007